(57)【要約】【課題】  雨樋へ容易に装着できる雨樋内への異物侵入防止材を提供することを目的とするもので、枯葉等の異物が雨樋内に滞留することはなく、晴天になればそのまま風によって飛散してしまい、雨水はそのままこの防止材中を容易に透過する構造とした。このため、異物は勿論であるが、雨水の滞留は全くなく、異物を取り除く作業も不要となる防止材を提供したものである。【解決手段】  連通気泡性の樹脂フォ−ム或いは繊維マトリックスにて構成され、側面が雨樋の内側面に嵌め込み可能な形状となし、下面が雨樋面と間隔をもつ形状として、雨樋の長手方向に嵌め込まれたことを特徴とする雨樋内への異物侵入防止材。１‥異物侵入防止材、２、３‥異物侵入防止材の側面部、４‥異物侵入防止材の上面部、５‥異物侵入防止材の下面に形成した凹み、１１‥雨樋、１２‥雨樋の内側面、１３‥雨樋の両縁部、１４‥雨樋の底部、１５‥流路。【選択図】  図４
2005256412.tif 000002
【特許請求の範囲】
【請求項１】
連通気泡性の樹脂フォ−ム或いは繊維マトリックスにて構成され、側面が雨樋の内側面に嵌め込み可能な形状となし、下面が雨樋面と間隔をもつ形状として、雨樋の長手方向に嵌め込まれたことを特徴とする雨樋内への異物侵入防止材。
【請求項２】
上面が雨樋上縁部と略同一平面状をなす請求項１記載の雨樋内への異物侵入防止材。
【請求項３】
樹脂フォ−ムがウレタンフォ−ムである請求項１記載の雨樋内への異物侵入防止材。
【請求項４】
ウレタンフォ−ムがセル膜を除去したものである請求項３記載の雨樋内への異物侵入防止材。
【請求項５】
ウレタンフォ−ムのセル数が１０〜３０個／インチである請求項４記載の雨樋内への異物侵入防止材。
【請求項６】
繊維マトリックスが不織布或いは化繊綿である請求項１記載の雨樋内への異物侵入防止材。
【請求項７】
不織布がナイロン繊維或いはポリエステル繊維である請求項６記載の雨樋内への異物侵入防止材。
【発明の詳細な説明】
【技術分野】
【０００１】
本発明は雨樋内への異物侵入防止材に関するものである。
【背景技術】
【０００２】
雨樋の上部は雨水を受けるために開成しているが、この開成面から枯葉等の異物が入ると雨樋の排水管口が詰まって、雨天時に雨樋に溜った雨水が雨樋から溢れ出し、家屋の外壁を汚したり、或いは外壁に滲み込んで雨漏りの原因となり、家屋を傷める等の支障をもたらす。
【０００３】
それで、ネット材を雨樋の寸法に合わせてカットし、カットしたネットカバーを針金等で止めて雨樋に張設したり、ネットカバ−をクリップで雨樋の両縁に装着したり（特許文献１）、或いはネットカバーが一体になっている雨樋のものがある。
【０００４】
【特許文献１】特開２０００−０９６７８７号公報
【０００５】
図１は特許文献１におけるネットカバ−２１を示すものであり、合成樹脂材製である。そして、前後の縁枠部３２ａ、３２ｂ、左右の縁枠部３２ｃ、３２ｄで左右に長い矩形状に形成してあって、縁枠部内には網部３３を形成してあり、若干可撓性を持たせることにより側面からみて弧状に撓めるようにしてある。３２ｅは中間に設けた補強板である。
【０００６】
図２は雨樋２５にネットカバ−２１を装着した例であり、雨樋２５の両縁２５ａに嵌合部２６ａ、２６ｂを備えたクリップ２６を使用して両者を装着したものである。
【０００７】
しかるに、ネット材のカットやネットカバーを雨樋に取り付ける作業が面倒で厄介であり、更に、ネットカバーから塵埃や虫等入っても、ネットカバーが一体の場合には外せないので、雨樋内の掃除ができず、長年月の使用により雨樋の排水口が塵埃等で詰まるという弊害が生じる。
【０００８】
そして、かかるネットカバ−には特に枯葉の茎部が突き刺さり、又、ネットメッシュより小さいゴミは侵入し、これが取れずに何時までも雨樋の排水が不調となるという点でも大きな欠点があり、更にこれを取り除くには手作業で取り除く以外になく、その作業性は極めて難しく、作業性にも大きな危険が伴っている。
【発明の開示】
【発明が解決しようとする課題】
【０００９】
本発明は上述した問題点が除去され、雨樋へ容易に装着できる雨樋内への異物侵入防止材を提供することを目的とするものである。
【課題を解決するための手段】
【００１０】
本発明の要旨は、連通気泡性の樹脂フォ−ム或いは繊維マトリックスにて構成され、側面が雨樋の内側面に嵌め込み可能な形状となし、下面が雨樋面と間隔をもつ形状として、雨樋の長手方向に嵌め込まれたことを特徴とする雨樋内への異物侵入防止材に係るものである。
【発明の効果】
【００１１】
本発明は以上の通りであり、枯葉等の異物が雨樋内に滞留することはなく、晴天になればそのまま風によって飛散してしまい、雨水はそのままこの防止材中を容易に透過する構造としたものであり、このため、異物は勿論であるが、雨水の滞留は全くなく、異物を取り除く作業も不要となる防止材を提供したものである。
【発明を実施するための最良の形態】
【００１２】
本発明は雨樋の長手方向に特殊な異物侵入防止材を嵌め込んでなるものであり、雨水はそのまま透過してしまい、更には、枯葉の茎部が刺さることはなく、乾燥状態になれば枯葉が飛散してしまい、雨樋内を清掃する必要がないという特徴がある。
【００１３】
本発明の異物侵入防止材としては、連通気泡性の樹脂フォ−ム或いは繊維マトリックスにて構成されている。連通気泡性の樹脂フォ−ムとしては、一般にはウレタンフォ−ムであり、連通気泡とするためにウレタンフォ−ムのセル膜を爆発法にて除去したものが好適である。そして、セル数が１０〜３０個／インチのものが好ましい。雨水の透過は速やかであり、小さいゴミも除去でき、晴天になれば乾燥は早く、しかも枯葉の茎部が刺さることもない。
【００１４】
本発明の異物侵入防止材の他の例としては、繊維マトリックスであり、不織布或いは化繊綿が代表的であり、ナイロン繊維、ポリエステル繊維、ポリプロピレン繊維が代表的なものである。これも又雨水の透過は速やかであり、小さいゴミも除去でき、晴天になれば乾燥は早く、しかも枯葉の茎部が刺さることもない。
【００１５】
そして、異物侵入防止材の側面が雨樋の内側面に嵌め込み可能な形状とするもので、例えば、雨樋の内側面とほぼ同一形状、或いはわずかに大きい形状としたものである。
【００１６】
そして、異物侵入防止材の上面が雨樋上縁部と略同一平面状をなすのが好ましく、凹凸形状であれば雨水を集めるのにはよいが、枯葉等の異物の集積場所となりやすいということから平面状とするのがよい。
【００１７】
又、異物侵入防止材の下面が雨樋の内面に接するのではなく、ある程度の空間をもつような形状とするものであり、集められた雨水が流れやすいようにされている。
【実施例】
【００１８】
以下、本発明の実施例を図面に基づいて説明する。
図３はウレタンフォ−ムからなる異物侵入防止材１であって、図４は雨樋に嵌め込んだ状態を示す断面図である。
【００１９】
さて、用いたウレタンフォ−ムはセル数が２０／個のフォ−ムであり、セル膜が爆発法にて除去されたものである。これはブロック状に発泡成形されたウレタンフォ−ムより切断されて得られる。かかる異物侵入防止材１の側面２、３はほぼ雨樋１１の内側面１２とほぼ同形状となっており、上面４はほぼ平坦状となっている。この上面４は雨樋１１内に嵌め込まれた場合には雨樋１１の両縁部１３とほぼ同一面をなすようにするのがよい。そして、嵌め込まれた場合に、雨樋１１の底部１４との間に流路１５を形成するように、この例では凹み５が形成されている。
【産業上の利用可能性】
【００２０】
かくして雨樋中に嵌め込まれた異物侵入防止材は、屋根からの雨水を確実に捕らえ、直に雨樋のいわゆる流路にこれを導くことになる。しかるに、雨樋中には枯葉等の異物の侵入が阻止され、雨樋が枯葉等の異物で詰まることはない。
【００２１】
しかも、枯葉等はこの異物侵入防止材に突き刺さることはなく、容易に脱落し易く、しかも風によって容易に飛ばされ、枯葉等の異物で埋まってしまうことがない。
【図面の簡単な説明】
【００２２】
【図１】図１はネットカバ−を示す平面図である。
【図２】図２は雨樋にネットカバ−を装着した例である。
【図３】図３はウレタンフォ−ムからなる異物侵入防止材の斜視図である。
【図４】図４は図３の異物侵入防止材を雨樋に嵌め込んだ際の断面図である。
【符号の説明】
【００２３】
１‥異物侵入防止材、
２、３‥異物侵入防止材の側面部、
４‥異物侵入防止材の上面部、
５‥異物侵入防止材の下面に形成した凹み、
１１‥雨樋、
１２‥雨樋の内側面、
１３‥雨樋の両縁部、
１４‥雨樋の底部、
１５‥流路。
【図１】
2005256412.tif 000003
【図２】
2005256412.tif 000004
【図３】
2005256412.tif 000005
【図４】
2005256412.tif 000006